(57)【特許請求の範囲】
【請求項１】
入射光の一部を透過して他の一部を反射する光束分離手段と、
前記光束分離手段を透過した被験者の頭部画像を撮像する撮像手段と、
前記光束分離手段で反射された前記被験者の鏡像を目視する当該被験者の視点の推移を示す視線追跡データを取得する視線取得手段と、
前記頭部画像における頭部位置情報と、前記視線追跡データが示す視点位置情報と、を互いに対応づける視点位置情報調整手段と、
前記頭部画像に対応づけられた前記視線追跡データを出力する出力手段と、
を備える美容支援装置。
【請求項２】
前記視点位置情報調整手段により互いに対応づけられた前記頭部画像と前記視線追跡データとを記憶する記憶手段をさらに備える請求項１に記載の美容支援装置。
【請求項３】
前記光束分離手段が半透過鏡である請求項１または２に記載の美容支援装置。
【請求項４】
前記視点位置情報調整手段が、前記頭部画像と前記視線追跡データとを合成した合成画像を生成し、
前記出力手段が、前記合成画像を出力することを特徴とする請求項１から３のいずれか一項に記載の美容支援装置。
【請求項５】
前記出力手段が、前記鏡像と前記頭部画像とを互いに位置合わせして、前記視線追跡データを前記鏡像に重畳して出力することを特徴とする請求項１から３のいずれか一項に記載の美容支援装置。
【請求項６】
前記視点位置情報調整手段が、前記頭部画像を左右反転させて前記頭部位置情報と前記視点位置情報とを対応づける請求項１から５のいずれか一項に記載の美容支援装置。
【請求項７】
前記被験者の前記頭部画像または他の画像を目視する視線提供者の視点位置の推移を示す他の視線追跡データを保存する蓄積手段をさらに備え、
前記出力手段が、前記他の視線追跡データをさらに出力することを特徴とする請求項１から６のいずれか一項に記載の美容支援装置。
【請求項８】
前記視点位置情報調整手段が、前記被験者の前記頭部画像における前記頭部位置情報と、前記他の視線追跡データが示す前記視点位置情報と、を互いに対応づけ、
前記出力手段が、前記頭部画像に対してともに対応づけられた前記被験者の前記視線追跡データと前記他の視線追跡データとを、それぞれ前記被験者の前記頭部画像または前記鏡像に重畳して出力する請求項７に記載の美容支援装置。
【請求項９】
前記他の視線追跡データが、美容専門家の視線に関する専門家視線データである請求項７または８に記載の美容支援装置。
【請求項１０】
前記他の視線追跡データが、前記被験者と異なる性別の前記視線提供者の視線に関する異性視線データ、または著名人の視線に関する著名人視線データである請求項７から９のいずれか一項に記載の美容支援装置。
【請求項１１】
情報処理装置を用いて被カウンセラーの美容行為を支援する美容カウンセリング方法であって、
被験者の頭部画像を前記被験者に正対して撮像するとともに、前記被験者の鏡像を目視する当該被験者の視点の推移を示す視線追跡データを取得する工程と、
前記頭部画像における頭部位置情報と、前記視線追跡データが示す視点位置情報と、を前記情報処理装置によって互いに対応づける工程と、
前記頭部画像に対応づけられた前記視線追跡データを出力する工程と、
を含む美容カウンセリング方法。
【請求項１２】
出力される前記視線追跡データを、前記被カウンセラーに提示することを特徴とする請求項１１に記載の美容カウンセリング方法。
【請求項１３】
前記被験者が前記被カウンセラーである請求項１２に記載の美容カウンセリング方法。
【請求項１４】
前記被験者と前記被カウンセラーとが異なる請求項１２に記載の美容カウンセリング方法。
【請求項１５】
前記被験者が美容専門家である請求項１４に記載の美容カウンセリング方法。
【発明の詳細な説明】
【技術分野】
【０００１】
本発明は、美容支援装置、美容カウンセリング方法および視線追跡データ取得方法に関する。
【背景技術】
【０００２】
鏡に向かって自ら化粧メイクやヘアメイクをする女性は、その方法が正しいのか、またその結果が自分に本当に似合っているのか不安を感じることがある。
【０００３】
特許文献１には、被観察者（患者）の顔画像と、被観察者を観察する観察者（医師）の視線データとを重畳させて表示出力する画像出力装置が記載されている。この装置によれば、観察者（医師）が被観察者（患者）をどのように目視しているかを閲覧者（医学実習生や看護婦）に対して表示することができる。
【先行技術文献】
【特許文献】
【０００４】
【特許文献１】特開２００７−２８９６５８号公報
【発明の概要】
【発明が解決しようとする課題】
【０００５】
ここで、化粧メイクやヘアメイク（以下、「メイク」という場合がある）に対して似合いや仕上げ方の良否の判断をする際の不安をもたらす要因の一つとして、鏡に映る自分の鏡像をどのように目視して似合いや仕上げ方の良否を判断すればよいかが不明である点が挙げられる。また、美容に関する素人は、かりに美容アドバイザーから似合いの判断手法、たとえば髪型と肌色とを全体的に観察する等、に関する具体的な情報を得たとしても、これを自ら実践することは難しい。なぜならば、美容に関する素人は、鏡に映る自分の鏡像に対して自らの視線を現にどのように推移させて似合いの判断を行っているかを正確に把握することがそもそも困難だからである。
【０００６】
ここで、特許文献１の装置を用いて、たとえば医師に代えて、美容に関する素人を観察者とし、患者に代えて、鏡に映る観察者の鏡像を被観察者として視線データを取得したとしても、観察者は自分の視線の推移を正確に把握することはできない。特許文献１の装置の場合には、観察者の鏡像と、これを目視する観察者の視線を、ともに遮ることのないよう、観察者や鏡に対して斜め上方または斜め下方からこれらを撮像する必要があり、鏡像と視線データとを正確に重畳することが困難だからである。
【０００７】
本発明は上述の課題に鑑みてなされたものであり、鏡に映る自分の鏡像に対する視線の推移を正確に把握することが可能な美容支援装置および美容カウンセリング方法、ならびにかかる視線の推移を正確に把握するための視線追跡データ取得方法を提供するものである。
【課題を解決するための手段】
【０００８】
本発明の美容支援装置は、被験者の美容行為を支援する美容支援装置であって、入射光の一部を透過して他の一部を反射する光束分離手段と、前記光束分離手段を透過した前記被験者の頭部画像を撮像する撮像手段と、前記光束分離手段で反射された前記被験者の鏡像を目視する当該被験者の視点の推移を示す視線追跡データを取得する視線取得手段と、前記頭部画像における頭部位置情報と前記視線追跡データが示す視点位置情報と、を互いに対応づける視点位置情報調整手段と、前記頭部画像に対応づけられた前記視線追跡データを出力する出力手段と、を備える。
【０００９】
本発明の美容カウンセリング方法は、情報処理装置を用いて被験者の美容行為を支援する美容カウンセリング方法であって、前記被験者の頭部画像を前記被験者に正対して撮像するとともに、前記被験者の鏡像を目視する当該被験者の視点位置の推移を示す視線追跡データを取得する工程と、前記頭部画像における頭部位置情報と、前記視線追跡データが示す前記視点位置情報と、を前記情報処理装置によって互いに対応づける工程と、前記頭部画像に対応づけられた前記視線追跡データを出力する工程と、を含む。
【００１０】
ここで、美容カウンセリングとは、美容に関するアドバイスをカウンセラーが被カウンセラーに与えることのほか、被カウンセラーが自ら美容行為に関する知見を得る（いわゆるセルフカウンセリングをおこなう）ことをいう。したがって、美容カウンセリングは、美容アドバイスを含む。
【００１１】
本発明の視線追跡データ取得方法は、情報処理装置を用いて被験者の視線に関する視線追跡データを取得する方法であって、被験者の頭部画像を前記被験者に正対して撮像するとともに、前記被験者の鏡像を目視する当該被験者の視点の推移を示す前記視線追跡データを取得する工程と、前記頭部画像における頭部位置情報と、前記視線追跡データが示す視点位置情報と、を前記情報処理装置によって互いに対応づける工程と、を含む。
【００１２】
なお、本発明の美容支援装置の各種の構成要素は、個々に独立した存在である必要はなく、複数の構成要素が一個の装置として形成されていること、一つの構成要素が複数の装置で形成されていること、ある構成要素が他の構成要素の一部であること、ある構成要素の一部と他の構成要素の一部とが重複していること、等でもよい。
【００１３】
また、本発明の美容カウンセリング方法および視線追跡データ取得方法は、複数の工程を順番に記載してあるが、その記載の順番は複数の工程を実行する順番を必ずしも限定するものではない。このため、本発明の方法を実施するときには、その複数の工程の順番は内容的に支障のない範囲で変更することができる。
さらに、本発明の美容カウンセリング方法および視線追跡データ取得方法は、複数の工程が個々に相違するタイミングで実行されることに限定されず、ある工程の実行中に他の工程が発生すること、ある工程の実行タイミングと他の工程の実行タイミングとの一部ないし全部が重複していてもよい。
【発明の効果】
【００１４】
本発明の美容支援装置および美容カウンセリング方法によれば、鏡に映る被験者の鏡像に対する自らの視線の推移が正確に出力されるため、被験者は自らメイクを行う際の似合いの判断に資することができる。また、被験者の視線追跡データの出力を被験者とともに知得した美容アドバイザーは、被験者の視点位置の推移に関する客観化された傾向に基づいて、メイクの似合いを判断する際の好ましい目視方法を被験者に助言することができる。また、本発明の視線追跡データ取得方法によれば、被験者の視点位置の推移に関する客観化されたデータを取得することができる。
【図面の簡単な説明】
【００１５】
【図１】第一実施形態の美容支援装置の構成図である。
【図２】第一実施形態の美容支援装置の機能ブロック図である。
【図３】被験者が光束分離部（半透過鏡）に対面している状態を示す説明図である。
【図４】第一実施形態の美容カウンセリング方法のフローチャートである。
【図５】第二実施形態の美容支援装置の構成図である。
【図６】第二実施形態の美容支援装置の機能ブロック図である。
【図７】第二実施形態の美容カウンセリング方法のフローチャートである。
【発明を実施するための形態】
【００１６】
以下、本発明の実施形態を図面に基づいて説明する。尚、すべての図面において、同様な構成要素には同様の符号を付し、適宜説明を省略する。
【００１７】
＜第一実施形態＞
（美容支援装置）
図１は本発明の第一の実施形態にかかる美容支援装置１００の一例を示す構成図である。筐体１０は、説明のため一部を切り欠いて図示している。また、図２は本実施形態の美容支援装置１００の機能ブロック図である。
【００１８】
はじめに、本実施形態の美容支援装置１００の概要について説明する。
被験者Ｓの美容行為を支援する本実施形態の美容支援装置１００は、光束分離部１２、撮像部１４、視線取得部２０、視点位置情報調整部（調整部）７６および出力部４０を備えている。
光束分離部１２は、入射光の一部を透過して他の一部を反射する。
撮像部１４は、光束分離部１２を透過した被験者Ｓの頭部画像５２を撮像する。
視線取得部２０は、光束分離部１２で反射された被験者の鏡像５０を目視する被験者Ｓの視点ＶＰの推移を示す視線追跡データ６２を取得する。
調整部７６は、頭部画像５２における頭部位置情報と、視線追跡データ６２が示す視点位置情報と、を互いに対応づける。
出力部４０は、頭部画像５２に対応づけられた視線追跡データ６２を出力する。
【００１９】
ここで、美容支援装置１００の各種の構成要素は、その機能を実現するように形成されていればよく、たとえば、所定の機能を発揮する専用のハードウェア、所定の機能がコンピュータプログラムにより付与された処理装置（データ処理装置または画像処理装置）、コンピュータプログラムにより処理装置に実現された所定の機能、これらの任意の組み合わせ、等として実現することができる。
また、美容支援装置１００の各種の構成要素は、コンピュータプログラムを読み取って対応する処理動作を実行できるように、ＣＰＵ（Central Processing Unit）、ＲＯＭ（Read Only Memory）、ＲＡＭ（Random Access Memory）、Ｉ／Ｆ（Interface）ユニット、等の汎用デバイスで構築されたハードウェア、所定の処理動作を実行するように構築された専用の論理回路、これらの組み合わせ、等として実施することができる。
なお、美容支援装置１００においてコンピュータプログラムに対応した各種動作を処理装置に実行させるとは、各種デバイスを処理装置に動作制御させることを含む。
【００２０】
次に、図１および図２を用いて本実施形態の美容支援装置１００をより詳細に説明する。
本実施形態の美容支援装置１００は、ユーザに対して美容カウンセリングを提供する装置である。美容支援装置１００のユーザが被カウンセラーにあたる。なお、視線追跡データ６２が取得される被験者Ｓと、視線追跡データ６２が提示される被カウンセラーは、共通であってもよく、または異なってもよい。また、被験者Ｓは、美容に関する素人であってもよく、美容専門家であってもよい。本実施形態では、美容支援装置１００のユーザ（被カウンセラー）と被験者Ｓとを同一とする。したがって、本実施形態の場合、視線取得部２０で取得される視線追跡データ６２は、美容支援装置１００のユーザの視線を示すデータとなる。なお、被カウンセラーと被験者Ｓとが異なる場合については後述する。
【００２１】
美容支援装置１００は、撮像部１４、視線取得部２０、記憶部３０（画像蓄積部３１および視線データ蓄積部３２）および出力部４０が、バスライン８０に接続されている。
また、図１に示すように、バスライン８０には、美容支援装置１００に対する各種操作を受け付ける操作部７２と、頭部画像５２や視線追跡データ６２のデータ処理を実行するＣＰＵ７０とが接続されている。
【００２２】
本実施形態において、被験者Ｓは美容支援装置１００のユーザであって、美容に関する素人である。そして、本実施形態の美容支援装置１００は、被験者Ｓ自らの操作、または美容アドバイザーの操作によって、被験者Ｓの視線追跡データ６２と被験者Ｓの鏡像５０とを位置あわせした状態で重畳して出力部４０に出力する。
【００２３】
本実施形態の光束分離部１２は半透過鏡（ビームスプリッター）である。光束分離部１２の光透過率は特に限定されず、例えば５％以上９５％以下とすることができる。また、光束分離部１２の光透過率を５％以上５０％未満、特に８％以上４０％以下として、透過光よりも反射光の強度を強くすることで、被験者Ｓによる鏡像５０の自然な目視を妨げることなく、撮像部１４による頭部画像５２の撮像を行うことができる。
【００２４】
撮像部１４は、光束分離部１２を介して被験者Ｓの反対側（対向側）に設置されて、被験者Ｓの頭部６０を少なくとも含む静止画像または動画像を撮影する機器である。本実施形態では、光束分離部１２の法線（面直）方向を光軸方向として設置されて被験者Ｓの静止画像を撮影するデジタルカメラを例示する。
本実施形態の撮像部１４は、信号線１６を介してバスライン８０と電気的に接続されている。撮像部１４は、撮像した被験者Ｓの頭部画像５２を、信号線１６およびバスライン８０を介して画像蓄積部３１に格納する。ただし、本発明においては信号線１６に代えて記憶媒体を用いて頭部画像５２の電子データを撮像部１４から画像蓄積部３１に移送してもよい。
【００２５】
なお、本実施形態において頭部画像５２とは、被写体人物（被験者Ｓ）の頭部６０の少なくとも一部を含む画像である。頭部画像５２には、髪部および顔部のそれぞれ少なくとも一部に加えて、被写体人物の上半身や下半身、衣服や装飾品などが含まれていてもよい。すなわち、本実施形態にいう頭部画像は全身画像を含む。
また、頭部画像５２における頭部位置情報とは、頭部画像５２に含まれる頭部６０の位置を示す情報である。本実施形態では、頭部画像５２における、頭部６０のうち両眼の瞳の中央位置などの特徴点が存在する位置をもって、頭部画像５２における頭部位置情報を規定することができる。正確に頭部位置情報を規定する観点から、特徴点は２箇所以上あることが好ましい。
【００２６】
視線取得部２０は、光束分離部１２（半透過鏡）に映る鏡像５０を目視する被験者Ｓの視点位置（視線方向）の推移を示す視線追跡データ６２を取得する眼検知装置（アイカメラ）である。一例として、Ｔｏｂｉｉ社製の注視点追跡システム（アイトラッカー）を用いることができる。
【００２７】
図３は、被験者Ｓが光束分離部１２（半透過鏡）に対面している状態を示す説明図である。
視線取得部２０は、光束分離部１２に正対する被験者Ｓに対向して、かつ鏡像５０を目視する被験者Ｓの視野範囲外に配置され、鏡像５０を目視する被験者Ｓの視線を遮ることはない。視線取得部２０は、被験者Ｓの頭部６０に向かって赤外線などの光ビーム２４を照射するとともに、その反射光を受光する。視線取得部２０は、受光光を画像化し、画素のコントラストに基づいて被験者Ｓの瞳孔位置を算出することで、被験者Ｓの目の位置を検出してその視点位置（視線方向）を数値データまたは画像データとして取得する。
本実施形態の視線取得部２０は、赤外線ダイオードを用いて被験者Ｓに赤外線波長域の光ビーム２４を照射する。光ビーム２４の強度は、被験者Ｓによる鏡像５０の自然な目視を妨げない程度に抑制されている。
なお、図１及び図３において視線取得部２０が光束分離部１２前面下部に配置されているが、被験者Ｓの頭部６０に向かって赤外線などの光ビーム２４を照射でき、その反射光を受光できれば、別の位置に配置されても良い。例えば、被験者Ｓが自らの姿を良く見ようとする際に、光束分離部１２（半透過鏡）に近づきがちとなる。一方、視線取得部２０の性能上、被験者Ｓとの距離を適正範囲に保つ必要がある（一例として、上記のアイトラッカーの場合には４５〜７５ｃｍ）。かかる場合には、視線取得部２０を図３に示す位置よりさらに下げるか、筐体１０の下に配置すれば良い。また、被験者Ｓが自らの姿の全身を見ようとする際には、光束分離部１２（半透過鏡）から遠ざかる必要が生じる場合がある。かかる場合には、視線取得部２０と、被験者Ｓとの距離を適正範囲に保つ為に、視線取得部２０を光束分離部１２前方に配置しても良い。
【００２８】
図３に示すように、被験者Ｓは、光束分離部１２の反射面Ｃに対して距離Ｌで正対しているとする。被験者Ｓは、光束分離部１２に映る鏡像５０が、光束分離部１２から奥行方向に距離Ｌの位置に存在するものと認識する。したがって、鏡像５０を目視する被験者Ｓの目の焦点距離は２Ｌとなる。
そして、視線取得部２０は、光束分離部１２に鏡像５０として映る自らの頭部６０のメイクの似合いを判断する被験者Ｓの視線ＬＯＳを視線追跡データ６２として取得する。被験者Ｓの視線ＬＯＳは、鏡像５０の頭部６０の一部または全部に対して連続的に向けられる。
【００２９】
視線取得部２０が取得する具体的な視線追跡データ６２の形式は特に限定されるものではない。たとえば、鏡像５０に対する被験者Ｓの視点ＶＰの時系列データのほか、鏡像５０に対してどの位置に被験者Ｓの視線ＬＯＳが集中したかを示す、視点ＶＰの頻度データを取得してもよい。視点ＶＰの頻度データは、たとえば、鏡像５０を複数の領域に分割して、各領域を視線ＬＯＳが通過した回数をカウントして求めることができる。
【００３０】
本実施形態の視線取得部２０は、光ビーム２４の照射および受光と、画像処理による視線追跡データ６２の取得を所定時間に亘って連続的におこなう。そして、視線取得部２０は、視線追跡データ６２として、鏡像５０に対する被験者Ｓの視点ＶＰの推移を示す時刻歴データを取得する。
このように、被験者Ｓの目線を視線取得部２０で追跡して視線追跡データ６２を時刻歴データとして取得することで、被験者Ｓの視線ＬＯＳの初期位置データや、視点ＶＰの頻度データなど、多様なデータを取得することができる。
図１に示すように、本実施形態の視線追跡データ６２は、視点ＶＰの座標の時系列データであり、視点ＶＰを経時的に線分で結ぶことで視点ＶＰの軌跡を示す、折れ線状、または曲線状のプロット図をなしている。
【００３１】
視線取得部２０とバスライン８０とは信号線２２によって電気的に接続されており、視線取得部２０で取得した視線追跡データ６２は視線データ蓄積部３２に保存される。
【００３２】
筐体１０の形状は特に限定されないが、本実施形態では直方体形状をなし、光束分離部１２を除く各面は遮光されている。撮像部１４は筐体１０の内部に収容され、視線取得部２０は光束分離部１２の前面（被験者側の面）に設置されている。
このように、遮光性の筐体１０の内部に撮像部１４を収容することで、光束分離部１２を被験者Ｓが目視した際に、筐体１０の内部（撮像部１４）を被験者Ｓは見ることができない。これにより、撮像部１４は、光束分離部１２に映る鏡像５０を目視する被験者Ｓの視線ＬＯＳを遮ることなく、被験者Ｓの頭部６０に正対して静止画像（頭部画像５２）を撮像することができる。
【００３３】
記憶部３０（画像蓄積部３１、視線データ蓄積部３２）に記憶された頭部画像５２と視線追跡データ６２とは、調整部７６（図２を参照）により互いに対応づけられる。調整部７６は、ＣＰＵ７０（図１を参照）による情報処理によって実現される。
【００３４】
ここで、視線追跡データ６２は、被験者Ｓの視点ＶＰと視線取得部２０との相対位置として視線データ蓄積部３２に記憶されている。視線取得部２０は光束分離部１２に対して既知の位置に固定配置されている。また、撮像部１４もまた光束分離部１２に対して既知の位置に固定配置されている。このため、視線追跡データ６２に含まれる視点ＶＰの座標位置を示す視点位置情報を調整部７６で演算処理することで、視点ＶＰを光束分離部１２または撮像部１４の基準位置との相対位置を所定に位置合わせすることができる。
よって、光束分離部１２に映る鏡像５０を目視した被験者Ｓの視線追跡データ６２を、撮像部１４で撮像した頭部画像５２と正確に重ね合わせることができる。
【００３５】
本実施形態の調整部７６は、頭部画像５２と視線追跡データ６２とを合成した合成画像６４（図１を参照）を生成する。そして、出力部４０は、合成画像６４を出力する。
【００３６】
図２に示すように、美容支援装置１００は、合成画像６４を記憶する格納部３３を備えている。
格納部３３に記憶される合成画像６４には、被験者Ｓを識別する固有の識別番号と、視線追跡データ６２を取得した日時を示す日時情報とがヘッダー領域に記録されている。
また、美容支援装置１００は、美容アドバイザーまたは被験者Ｓからの各種要求を示す入力情報を受け付ける要求受付部７８を備えている。要求受付部７８は、操作部７２とＣＰＵ７０とで構成されている。
【００３７】
美容アドバイザーまたは被験者Ｓが、被験者Ｓの識別番号および任意で日時情報を要求受付部７８から入力することにより、格納部３３より合成画像６４を呼び出して出力部４０で表示出力することが可能である。
【００３８】
本実施形態の出力部４０は、頭部画像５２に位置合わせされた視線追跡データ６２を、頭部画像５２に重畳して出力する表示装置である。具体的には、液晶表示装置などのディスプレイ装置を出力部４０として用いることができる。
【００３９】
本実施形態の撮像部１４は、光束分離部１２を真っ直ぐ通過した被験者Ｓの正像を頭部画像５２として撮像する。したがって、光束分離部１２に映る被験者Ｓの鏡像５０と、撮像部１４が撮像した頭部画像５２とは左右が反転している。このため、本実施形態の調整部７６は、頭部画像５２を左右反転させて、視線追跡データ６２の視点ＶＰと位置合わせして、これを出力部４０で表示出力する。
これにより、出力部４０に表示された頭部画像５２（合成画像６４）は鏡像５０と同じ左右反転画像であって、かつ視線追跡データ６２が画像合成されたものとなる。
よって、合成画像６４を目視した被験者Ｓは、通常の鏡に映る被験者Ｓの鏡像５０に対して、自らの視線追跡データ６２が重畳された像を知得することができる。
【００４０】
（美容カウンセリング方法）
図４は、本実施形態の美容支援装置１００を用いておこなう美容カウンセリング方法（以下、本方法という場合がある）のフローチャートである。図１〜３を適宜参照しつつ、図４を用いて本方法を説明する。
【００４１】
本方法は、情報処理装置である美容支援装置１００を用いて被カウンセラーの美容行為を支援する美容カウンセリング方法に関し、取得工程Ｓ１０、位置合わせ工程Ｓ２０および出力工程Ｓ３０を含む。
取得工程Ｓ１０では、被験者Ｓの頭部画像５２を被験者Ｓに正対して撮像するとともに、被験者Ｓの鏡像５０を目視する被験者Ｓの視点ＶＰの推移を示す視線追跡データ６２を取得する。
位置合わせ工程Ｓ２０では、頭部画像５２における頭部位置情報と、視線追跡データ６２が示す視点位置情報と、を互いに対応づける。
出力工程Ｓ３０では、頭部画像５２に位置合わせされた視線追跡データ６２を出力する。
【００４２】
取得工程Ｓ１０は、撮像工程Ｓ１２と視線追跡工程Ｓ１４とからなる。撮像工程Ｓ１２と視線追跡工程Ｓ１４とは、いずれを先に行ってもよく、または同時に行ってもよい。
撮像工程Ｓ１２では、光束分離部１２を通過した、被験者Ｓの頭部画像５２を撮像部１４で撮像する。
視線追跡工程Ｓ１４では、光束分離部１２に映る鏡像５０を目視してメイクの似合いを判断している被験者Ｓの視線追跡データ６２を、視線取得部２０を用いて取得する。本方法で取得される視線追跡データ６２は、視点ＶＰの座標の時系列データである。
【００４３】
位置合わせ工程Ｓ２０では、画像蓄積部３１に記憶された被験者Ｓの頭部画像５２に含まれる頭部位置情報と、視線データ蓄積部３２の視点位置情報とを対応づけて、頭部画像５２における頭部６０と被験者Ｓの視点ＶＰとの相対位置を所定に位置合わせする。
また、被験者Ｓと光束分離部１２との距離Ｌ（図３を参照）と被験者Ｓ自身の大きさに応じて決まる鏡像５０と頭部画像５２とは所定の変換比率の乗算によって互いに寸法が調整される。
かかる寸法調整された頭部画像５２における基準位置を視線追跡データ６２と位置合わせすると、頭部画像５２の各部位（目、鼻、髪等）に対して、被験者Ｓから距離２Ｌの焦点位置にある鏡像５０に向けられた視点ＶＰの座標位置を重ね合わせることができる。
本実施形態の美容支援装置１００では、調整部７６（ＣＰＵ７０）によって、左右反転された頭部画像５２に対して視線追跡データ６２が画像合成されて合成画像６４が生成される。
【００４４】
出力工程Ｓ３０では、出力される視線追跡データ６２を被カウンセラーに提示する。具体的には、出力部４０において合成画像６４が表示出力される。なお、本発明においては、合成画像６４の表示出力に代えて、頭部画像５２と視線追跡データ６２とを重畳的にディスプレイ表示してもよい。
以上により、本実施形態の美容支援装置１００による視線追跡データ６２の出力までの一連の処理が行われる。
【００４５】
表示出力される合成画像６４を提示する対象（被カウンセラー）は、被験者Ｓ自身でもよく、または被験者Ｓと異なる人物でもよい。ここでは、被験者Ｓが被カウンセラーである場合、すなわち被験者Ｓの視線に関する視線追跡データ６２を被験者Ｓ自身に対して表示出力して、当該被験者Ｓを被カウンセラーとして美容カウンセリングを提供する場合を例示する。そして、被験者Ｓと被カウンセラーとを異なる人物とする場合については後述する。
【００４６】
視線追跡データ６２の提供者である被験者Ｓに対して、その頭部画像５２と視線追跡データ６２を重畳して提示することにより、本実施形態では例えば以下の効果を得ることができる。
【００４７】
（i）本方法によれば、被験者Ｓが鏡を見ながら行う行為を撮影した鏡像動画に対して、同時に取得した視線追跡データ６２を付与した動画を取得することにより、被験者Ｓの心象（悩みが解決された姿、希望が叶えられた姿など）をより深く分析することができる。これに対し従来は、鏡を見ながら行う行為一般に関し、行為者の心象を分析する方法としては、行為自体の観察や聞き取りによる方法が一般的であった。すなわち、本方法によれば、観察や聞き取りからでは引き出せないような、被験者Ｓが無意識に意識している箇所を先ず視線から探り出すことができる。このため、被験者Ｓの行為中の心象をより深く分析可能にする方法が提供され、商品開発や商品付加情報開発に活用することが可能となる。
【００４８】
（ii）また、本方法によれば、静止画や動画に対する被験者Ｓ自身または鏡像５０に対する視線から、悩みのあるポイントや気になるポイントを把握することで、効率的かつ満足度の高い美容カウンセリングが提供される。これに対し従来は、店頭のカウンセリング等で顧客の悩みのあるポイントや気になるポイントについて特定する場合、顧客の自己申告やカウンセラーの推測によるところが大きく、実情を把握するのが困難であった。これは、顧客の悩みの原因が複雑で個人差も多いことに加え、その悩みの程度や性格によっては、カウンセラーに対して真実を述べることが困難な場合も多かったためである。その上、顧客自身の悩み等が漠然としている場合、言葉で表現して伝えられない場合も考えられる。これに対し、本方法によれば上記のように被験者Ｓの心象を可視化して分析することができるため、説得力の高い美容カウンセリングを提供することができる。
【００４９】
（iii）また、本方法によれば、一般消費者が自分のメイク（ヘアメイク）の良否を、客観的で正しく確認し判断できる方法を提示することができる。これは、美容の素人である一般消費者が、自身の鏡像に対する視線を自分で確認することにより、仕上げ方の良否確認を行うことができるためである。
【００５０】
また、本方法では、被験者Ｓに提示される表示出力を被験者Ｓとともに目視した美容専門家ＳＰから、より説得力のある美容カウンセリングを得ることができる。
【００５１】
（iv）例えば、美容室や化粧品等の店頭で、一般消費者（美容の素人）である被験者Ｓの鏡像５０への視線追跡データ６２に対して美容専門家ＳＰによるチェックを受け、美容カウンセリングを行うことができる。このように、自らの視線を可視化した視線追跡データ６２に基づいた美容カウンセリングを行うことで、被験者Ｓに対する説得力が増大する。かかる美容カウンセリングは、インターネットなどのネットワークを経由して提供してもよい。
【００５２】
なお、本方法によれば、情報処理装置（美容支援装置１００）を用いて被験者の視線に関する視線追跡データを取得する方法が提供される。この視線追跡データ取得方法は、本方法と共通する取得工程Ｓ１０と位置合わせ工程Ｓ２０とを含む。
取得工程Ｓ１０では、被験者Ｓの頭部画像５２を被験者Ｓに正対して撮像するとともに、被験者Ｓの鏡像５０を目視する当該被験者Ｓの視点ＶＰの推移を示す視線追跡データ６２を取得する。
位置合わせ工程Ｓ２０では、頭部画像５２における頭部位置情報と、視線追跡データ６２が示す視点位置情報と、を情報処理装置（美容支援装置１００）によって互いに対応づける。
【００５３】
このように、被験者Ｓの頭部画像５２と視点位置情報とを対応づけたデータを取得することで、美容カウンセリング（セルフカウンセリングを含む）を行う際に重要なポイントを分析したり把握したりすることができる。
【００５４】
（v）例えば、一ないし複数の美容の素人が自身を見る視線とその鏡像を美容専門家ＳＰに見せ、美容判断のポイントを美容専門家ＳＰからヒアリングすることにより、美容カウンセリングを行う際の説明力の根拠を分析することができる。これにより、美容専門家ＳＰの美容に関する納得性の高い説明力の根拠を、具体的にわかり易く見える形で分析することができる。
【００５５】
（vi）また、一ないし複数の美容の素人が自身を見る視線とその鏡像と、一ないし複数の他の美容専門家が自身を見る視線とその鏡像を比較して、美容専門家ＳＰに見せて同様のヒアリングを行ってもよい。これにより、美容カウンセリングを行う際の説明力の根拠をさらに詳細に分析することができる。
【００５６】
（vii）さらに、一ないし複数の他人（美容の素人または美容専門家）が自身を見る視線とその鏡像を、美容専門家ＳＰおよび美容の素人に見せ、美容判断のポイントの説明をそれぞれヒアリングしてもよい。これにより、美容専門家ＳＰと一般人の説明力の差異から、美容専門家ＳＰの説明力の根拠を分析することができる。
【００５７】
（viii）また、本方法によれば、一般消費者に提示する商品情報などの有効性（理解度など）や重要点を客観的に判定することができる。すなわち、商品使用中の顧客を想定した被験者（一般消費者）の鏡像に対する視線データを分析することで、商品の機能や効果を確認したり、使い方情報の有効性を確認したりすることができる。
【００５８】
（ix）また、本方法によれば、身に合うメイク（ヘアメイク）に関して一般消費者が持つ悩みのうち、潜在的かつ自身の言葉で表現しにくい部分を客観的に分析することができる。すなわち、被験者（一般消費者）について、対自分の視線と対他人の視線とを比較することで、当該被験者の悩みを分析することができる。
【００５９】
＜第二実施形態＞
図５は本実施形態にかかる美容支援装置１００の構成図である。筐体１０は、説明のため一部を切り欠いて図示している。また、図６は本実施形態の美容支援装置１００の機能ブロック図である。
【００６０】
本実施形態の美容支援装置１００は、頭部画像５２に位置合わせされた視線追跡データ６２を鏡像５０に重畳して出力部４０で出力することを第一の特徴とする。
【００６１】
また、本実施形態の美容支援装置１００における蓄積部（視線データ蓄積部３２）は、サンプル画像５５（被験者Ｓの頭部画像５２または他の画像）を目視する視線提供者の視点ＶＰの推移を示す他の視線追跡データ６３を保存している。そして、出力部４０が、他の視線追跡データ６３をさらに出力することを本実施形態の第二の特徴とする。
【００６２】
なお、本実施形態において視線データ蓄積部３２が視線提供者の視線追跡データ６３を保存するとは、視線データ蓄積部３２が少なくとも視線追跡データ６３を記憶する機能を有することを意味している。このため、視線データ蓄積部３２は、視線提供者の視線追跡データが新規に登録されることのほか、視線データ蓄積部３２の製造時に登録された視線追跡データを保持して出荷後には新規の視線追跡データが登録されないことも許容する。
一方、視線データ蓄積部３２が視線提供者の視線追跡データ６３を保存しているとは、本実施形態の美容支援装置１００が、少なくとも被験者により使用されるときに視線提供者の視線追跡データを記憶している状態となる機能を有することを意味している。このため、視線データ蓄積部３２がサプライヤから出荷される時点で視線提供者の視線追跡データが登録されていることのほか、出荷されるときには登録されていない視線提供者の視線追跡データが、被験者に使用されるまでに登録されることも許容する。
【００６３】
本実施形態の筐体１０、撮像部１４および信号線１６、視線取得部２０および信号線２２、ＣＰＵ７０、操作部７２、並びにバスライン８０は第一実施形態と共通である。
【００６４】
本実施形態の光束分離部１２は、入射光の一部を透過して他の一部を反射する半透過鏡であるとともに、表示駆動部（Display Driver：ＤＤ）４２によって画像データを表示出力する。具体的には、所定の表面反射率を有する鏡面ディスプレイ装置のほか、透明な有機ＥＬ（Electro-Luminescence）ディスプレイと半透過鏡とを互いに積層して用いてもよい。
【００６５】
また、本実施形態の美容支援装置１００は、光束分離部１２において画像データの表示出力が可能であることを利用して、視線提供者に視覚的刺激としてサンプル画像５５を提示することができる。そして、画像蓄積部３１には多数のサンプル画像５５が記憶されており、ＣＰＵ７０（画像提示部１８）は、いずれかのサンプル画像５５を抽出して、表示駆動部４２を用いて光束分離部１２にてサンプル画像５５を表示出力する。
【００６６】
本実施形態で用いるサンプル画像５５は、モデルの頭部６０を含む画像である。モデルには、被験者Ｓを任意で含んでもよい。
サンプル画像５５は、複数のカテゴリに分類されて画像蓄積部３１に保存されている。
サンプル画像５５の分類は種々の観点でおこなうことができるが、たとえば、髪型のボリューム感の分布の特徴、顔型、顔パーツの相対位置、肌色の分類、虹彩色の分類、年齢などの観点で分類することができる。
髪型のボリューム感の分布とは、たとえば、正面頭部画像に水平線を二段に引き、上側の水平線より上部における毛髪領域の面積（髪トップ面積）と、上下の水平線の間における毛髪領域の面積（髪ミドル面積）と、下側の水平線より下部における毛髪領域の面積（髪ボトム面積）との比率をいう。かかる比率の大小によってサンプル画像５５を複数のカテゴリに分類することができる。
顔型とは、丸顔、四角顔、三角顔、面長顔、卵顔などに分類される顔の外形形状である。
顔パーツの相対位置とは、顔における髪、眉、目、鼻、口、耳などの部位の相対的な位置関係をいう。かかる相対位置が互いに類似する顔のサンプル画像５５を同一のカテゴリに分類することができる。
ここで肌色の分類とは、黄味か青味か、暖色か寒色か、などの分類である。
また虹彩色の分類とは、濃褐色、淡褐色、琥珀色、緑色、灰色、青色などの分類である。
【００６７】
本実施形態の美容支援装置１００では、調整部７６は、被験者Ｓの頭部画像５２における頭部位置情報と、他の視線追跡データ６３が示す視点位置情報と、を互いに対応づける。
そして、出力部４０は、被験者Ｓの頭部画像５２に対してともに対応づけられた被験者Ｓの視線追跡データ６２と他の視線追跡データ６３とを、それぞれ被験者Ｓの頭部画像５２または鏡像５０に重畳して出力する。
【００６８】
なお、視線提供者は特に限定されないが、本実施形態では、美容専門家ＳＰ、被験者Ｓと異なる性別の者（異性ＯＰ）、および著名人ＣＥを例示する。これらは重複する者であってもよい。ここで、著名人とは、美容分野に限らず、芸能人や文化人など各種分野における有名人である。
【００６９】
すなわち、本実施形態では、他の視線追跡データ６３として、美容専門家ＳＰの視線に関する専門家視線データと、被験者Ｓと異なる性別の視線提供者の視線に関する異性視線データと、著名人ＣＥの視線に関する著名人視線データとを用いている。
【００７０】
視線追跡データ６３は、サンプル画像５５を目視した視線提供者（美容専門家ＳＰ、異性ＯＰまたは著名人ＣＥ）が、サンプル画像５５に含まれる頭部６０に施されたメイクの似合いを判断する際の視点ＶＰの推移を示す。視線追跡データ６３は、光束分離部１２に正対した視線提供者から、上述した視線取得部２０によって取得することができる。
【００７１】
視線提供者から取得した視線追跡データ６３は、サンプル画像５５と対応づけて視線データ蓄積部３２に保存される。視線追跡データ６３は、第一実施形態と同様に、サンプル画像５５の頭部６０に対する視線提供者の視点ＶＰの座標の時系列データとして保存されている。
【００７２】
そして、視線データ蓄積部３２に格納される視線追跡データ６３には、いずれの美容専門家ＳＰ、異性ＯＰまたは著名人ＣＥの視線ＬＯＳに関するデータであるかを示す目視者識別情報と、目視されたサンプル画像５５を示すサンプル識別情報と、がヘッダー情報として付されている。
【００７３】
サンプル画像５５は、分類された各カテゴリより少なくとも一枚が、光束分離部１２にて視線提供者に順次提示される。
視線データ蓄積部３２には、これらサンプル画像５５の個々に対する、美容専門家ＳＰの視線に関する専門家視線データと、異性ＯＰの視線に関する異性視線データと、著名人ＣＥの視線に関する著名人視線データとが記憶されている。
【００７４】
図６に示すように、美容支援装置１００は、撮像部１４で撮像した被験者Ｓの頭部画像５２との一致度に基づいて、サンプル画像５５を複数枚より抽出する抽出部７４をさらに備えている。調整部７６は、抽出されたサンプル画像５５に対応する視線追跡データ６３（専門家視線データ、異性視線データまたは著名人視線データ）と、被験者Ｓの視線追跡データ６２とにおける視点ＶＰを、光束分離部１２に映る鏡像５０に含まれる頭部６０に対してそれぞれ位置合わせする。
そして、出力部４０を構成する表示駆動部４２および光束分離部１２は、抽出されたサンプル画像５５に対応づけられた視線追跡データ６３を、鏡像５０に重畳して表示出力する。
これにより、被験者Ｓは、あたかも美容専門家ＳＰ、異性ＯＰまたは著名人ＣＥが被験者Ｓを目視したかのように、視線追跡データ６３を自己の鏡像５０に重畳して目視することができる。
【００７５】
また、出力部４０は、鏡像５０と頭部画像５２とを互いに位置合わせして、視線追跡データ６２を鏡像５０に重畳して出力する。すなわち、本実施形態は、光束分離部１２を表示装置として、被験者Ｓの鏡像５０に対して被験者Ｓの視線追跡データ６２を重畳して表示出力する。ここで、本実施形態では、被験者Ｓに正対して撮像した頭部画像５２を用いていることにより、被験者Ｓの視線追跡データ６２と鏡像５０との位置およびサイズを正確に対応づけることができる。
本実施形態においては、被験者Ｓの頭部画像５２は表示出力されず、被験者Ｓの視線追跡データ６２と鏡像５０との位置合わせ、および鏡像５０とサンプル画像５５との一致度の判定に用いられる。
【００７６】
本実施形態によれば、被験者Ｓは、美容専門家ＳＰ、異性ＯＰまたは著名人ＣＥが被験者Ｓの髪型、髪色および／または化粧メイクの似合いを判断するにあたってどの部位に着目するかを客観的に、かつ正確に知得することができる。このため、被験者Ｓは、自らが行う美容行為における似合いの判断ポイントの妥当性について不安を解消することができ、また特に注意してメイクを施すべき箇所を知得することができる。
【００７７】
出力部４０である表示駆動部４２と光束分離部１２は、被験者Ｓの視線追跡データ６２と視線提供者の視線追跡データ６３とをともに表示出力する。視線追跡データ６２、６３は同時に表示出力されてもよく、時間的に相前後して表示出力されてもよい。
【００７８】
美容支援装置１００は要求受付部７８を有しており、美容アドバイザーまたは被験者Ｓから、視線提供者を特定する情報の入力を受け付けることによって、抽出部７４（ＣＰＵ７０）は対応する視線追跡データ６３を視線データ蓄積部３２より呼び出して出力部４０で出力する。
【００７９】
本実施形態の美容支援装置１００を用いて行われる美容カウンセリング方法（本方法）を説明する。
図７は、本方法のフローチャートである。図５、６を適宜参照しつつ、図７を用いて本方法を説明する。なお、本方法は視線追跡データ取得方法を包含する。
【００８０】
本方法は、第一実施形態における美容カウンセリング方法に対して、さらに、サンプル画像５５を目視する視線提供者の視点ＶＰの推移を示す他の視線追跡データ６３を取得する工程と、被験者Ｓの頭部画像５２における頭部位置情報と他の視線追跡データ６３が示す視点位置情報とを互いに位置合わせする工程と、被験者Ｓの頭部画像に対してともに対応づけられた被験者Ｓの視線追跡データ６２と他の視線追跡データ６３とを被験者Ｓの鏡像５０に重畳する工程と、を含む。
【００８１】
本方法では、まず、鏡像５０を目視した被験者Ｓの視線追跡データ６２を取得する（ステップＳ１０）。具体的には、撮像部１４は被験者Ｓの頭部画像５２を撮像し（ステップＳ１２）、視線取得部２０は、光束分離部１２に映る鏡像５０を目視する被験者Ｓより視線追跡データ６２を取得する（ステップＳ１４）。
視線追跡データ６２における視点ＶＰの基準位置は、調整部７６によって頭部画像５２の頭部６０と位置合わせがされて（ステップＳ２０）、視線データ蓄積部３２に保存される。
【００８２】
ここで、美容支援装置１００を視線提供者（美容専門家ＳＰ、異性ＯＰまたは著名人ＣＥ）に供してサンプル画像５５を目視した場合の視線追跡データ６３を取得する場合（ステップＳ５０：Ｙ）、サンプル画像５５に対する視線追跡データ６３を取得する予備取得工程（ステップＳ５２〜Ｓ５６）を行う。
この場合、ＣＰＵ７０は、画像蓄積部３１よりサンプル画像５５を一枚呼び出して表示駆動部４２に転送し、これを光束分離部１２で表示させる（ステップＳ５２）。
視線取得部２０は、光束分離部１２で表示されたサンプル画像５５を目視してそのメイクの似合いを判断する視線提供者の視線追跡データ６３を取得する（ステップＳ５４）。
取得された視線追跡データ６３は視線データ蓄積部３２に記憶される。
【００８３】
つぎに、光束分離部１２で表示するサンプル画像５５に切り替えて更なる視線追跡データ６３を取得する場合（ステップＳ５６：Ｙ）、ＣＰＵ７０は他のサンプル画像５５を抽出して表示駆動部４２に転送する。ここで、ＣＰＵ７０は、抽出済みのサンプル画像とは異なるカテゴリから新たなサンプル画像５５を抽出する。
新たなサンプル画像５５は光束分離部１２で表示される（ステップＳ５２）。視線取得部２０は、当該新たなサンプル画像５５に対する視線提供者の視線追跡データ６３を取得する（ステップＳ５４）。
【００８４】
十分な視線追跡データ６３が取得されると、サンプル画像５５の切り替えおよび予備取得工程を終了する（ステップＳ５６：Ｎ）。
【００８５】
つぎに、本実施形態の美容支援装置１００を用いて被験者Ｓに美容アドバイスを行う方法（ステップＳ６０〜）を説明する。
まず、美容支援装置１００の操作部７２（図１を参照）より、いずれの視線追跡データ６２、６３を出力するかを選択する（ステップＳ６０）。
被験者Ｓの視線追跡データ６２を出力する場合（ステップＳ６０：Ｎ）、ＣＰＵ７０および表示駆動部４２は、位置合わせ工程（ステップＳ２０）で頭部画像５２と位置合わせされた視線追跡データ６２を、光束分離部１２に映る鏡像５０に重畳して出力する（ステップＳ３０）。
このとき、視線追跡データ６２は、鏡像５０と頭部画像５２との寸法調整比率である変換比率を乗算してから光束分離部１２で出力するとよい。
【００８６】
なお、被験者Ｓの視線追跡データ６２を出力するか否かによらず、位置合わせ工程（ステップＳ２０）で頭部画像５２と位置合わせされた視線追跡データ６２を、光束分離部１２に映る鏡像５０に重畳した新たなデータを取得して、記憶部３０に蓄積してもよい。これにより、本実施形態による視線追跡データ取得方法が提供される。
【００８７】
つぎに、視線提供者の視線追跡データ６３を追加出力する場合（ステップＳ７０：ＹおよびステップＳ６０：Ｙ）、画像蓄積部３１にライブラリとして保存されたサンプル画像５５より、頭部画像５２に類似しているものを抽出部７４（図２を参照）により抽出する（ステップＳ６２）。
この工程は、具体的にはＣＰＵ７０によるサンプル画像５５の検索処理によって行われる。
上述のように、画像蓄積部３１に記憶されているサンプル画像５５は、複数のカテゴリに分類されている。一例として、ＣＰＵ７０は、撮像部１４がステップＳ１２で撮像した被験者Ｓの頭部画像５２を、サンプル画像５５と同様にカテゴリ分類し、頭部画像５２と同一カテゴリに分類されているサンプル画像５５を選択する。
このほか、ステップＳ６２では、ＣＰＵ７０は、髪型のボリューム感の分布の特徴、顔型、顔パーツの相対位置などの観点から、頭部画像５２ともっとも類似度の高いサンプル画像５５を検索してもよい。
【００８８】
頭部画像５２に対応するサンプル画像５５が画像蓄積部３１から抽出されると、ＣＰＵ７０は、当該サンプル画像５５に対応づけられた視線追跡データ６３を、視線データ蓄積部３２より呼び出す（ステップＳ６４）。具体的には、ＣＰＵ７０は、画像データとして記憶されている視線追跡データ６３のヘッダー情報に基づいて、ステップＳ４２で抽出されたサンプル画像５５に対応する視線追跡データ６３を検索する。
【００８９】
つぎに、呼び出された視線追跡データ６３を鏡像５０に位置合わせするためのサイズ変換工程を行う（ステップＳ６６）。具体的には、調整部７６（図６を参照）にて、視線追跡データ６３に対応づけられたサンプル画像５５を鏡像５０と同一サイズに調整する。これにより、当該サンプル画像５５に対する視線追跡データ６３を、光束分離部１２に映る鏡像５０と位置合わせすることができる。
具体的には、ＣＰＵ７０は、視線追跡データ６３に対応づけられたサンプル画像５５と頭部画像５２とにそれぞれ含まれる頭部６０のサイズを正規化し、さらに、頭部画像５２と鏡像５０との間の変換比率を視線追跡データ６３に乗じる。正規化の基準としては、たとえば、両目の中心を結んだライン上での顔幅を採ればよい。調整部７６によって視点位置情報が調整された視線追跡データ６３は、格納部３３に格納されたうえで光束分離部１２で表示出力される。
これにより、美容専門家ＳＰや異性ＯＰ、著名人ＣＥに提示したサンプル画像５５と、被験者Ｓの頭部画像５２とが異なるものであっても、専門家視線データ、異性視線データおよび著名人視線データを鏡像５０に重ね合わせて表示出力することが可能となる。
すなわち、美容専門家ＳＰ、異性ＯＰおよび著名人ＣＥの視線追跡データ６３を、有限枚のサンプル画像５５に対して取得しておくだけで、不特定の被験者Ｓの鏡像５０に対して視線追跡データ６３を重畳して光束分離部１２で表示出力することができる。
【００９０】
光束分離部１２でさらに出力する他の視線追跡データ６３が存在しない場合は（ステップＳ７０：Ｎ）、本方法の一連の処理を終了する。
本方法によれば、美容アドバイザーおよび被験者Ｓは、かかる光束分離部１２を目視して、被験者Ｓの視線と美容専門家ＳＰや異性ＯＰ、著名人ＣＥの視線とを対照して視点ＶＰの傾向を把握することができる。
【００９１】
上記実施形態は種々の変形を許容する。
【００９２】
第二実施形態においては、被験者Ｓの視線追跡データ６２と他の視線追跡データ６３とを被験者Ｓの鏡像５０に重畳することを説明したが、これに代えて、頭部画像５２に重畳して光束分離部１２にて出力してもよい。
このとき、視線追跡データ６２、６３と頭部画像５２とを画像合成してから光束分離部１２で出力してもよく、または視線追跡データ６２、６３と頭部画像５２とを個別のデータとして光束分離部１２上で重畳的に表示してもよい。
【００９３】
第二実施形態では、視線提供者の視線追跡データ６３を被験者Ｓの鏡像５０に重畳して光束分離部１２で表示出力することを説明したが、本発明はこれに限られない。視線提供者の視線追跡データ６３は、たとえば視点ＶＰのプロット図や目視頻度の分布図などの形態にて、光束分離部１２とは異なるディスプレイ装置に表示出力してもよい。または、視線提供者の視線追跡データ６３は、サンプル画像５５と画像合成した状態で、光束分離部１２とは異なるディスプレイ装置に表示出力してもよい。この場合、視線追跡データ６３とサンプル画像５５との合成画像には、視線提供者を識別する固有の識別番号と、サンプル画像５５を示す識別番号とをヘッダー領域に付与するとよい。
そして、美容アドバイザーまたは被験者Ｓの操作によって、視線提供者とサンプル画像５５の識別番号をそれぞれ要求受付部７８（操作部７２）より入力する。すると、ＣＰＵ７０は、対応するサンプル画像５５に対する当該視線提供者の視線追跡データ６３を格納部３３から呼び出して、出力部４０で表示出力させる。これにより、被験者Ｓは、光束分離部１２で鏡像５０と重畳表示される自らの視線追跡データ６２と、サンプル画像５５に重ね合わされてディスプレイ装置で表示出力される視線追跡データ６３とを交互に対照することが可能となる。
【００９４】
また、視線データ蓄積部３２に蓄積する視線追跡データ６３の視線提供者は、上記のように美容専門家ＳＰ、異性ＯＰまたは著名人ＣＥに限られず、被験者Ｓ自身より過去に取得した視線追跡データでもよい。
これにより、過去の被験者Ｓ自身の視線追跡データを、現在の被験者Ｓの視線追跡データ６２とともに出力部４０で出力することにより、被験者Ｓは、メイクの似合いの判断時の着目点に関する自己の変化や成長を確認することができる。
【００９５】
また、上記実施形態では、サンプル画像５５を複数のカテゴリに分類して画像蓄積部３１に記憶することを説明したが、本発明はこれに限られない。サンプル画像５５には複数の項目に関するスコアを付与して画像蓄積部３１に記憶してもよい。項目としては、上述のカテゴリと同様に、髪型のボリューム感の分布の特徴、顔型、顔パーツの相対位置、肌色の分類、虹彩色の分類、年齢などを用いることができる。すなわち、サンプル画像５５を各項目に関してスコア付けして、スコアデータをテーブル形式で記憶部３０に記憶しておく。そして、本方法のステップＳ６２では、撮像部１４で取得した頭部画像５２を同様にスコア付けし、スコアの一致度の高いサンプル画像５５をテーブル検索して抽出してもよい。
【００９６】
また、第一および第二実施形態では、被験者Ｓの視線追跡データ６２（および他の視線追跡データ６３）を、視点ＶＰのプロット図として表示したが、本発明はこれに限られない。たとえば、被験者Ｓまたは視線提供者の目視頻度の分布図（コンター図）として表示出力してもよい。
【００９７】
また、視線提供者を美容専門家ＳＰとする場合、化粧メイクの専門家の視線に関するメイク専門家視線データと、ヘアスタイルやヘアカラーの専門家の視線に関するヘア専門家視線データと、をそれぞれ視線データ蓄積部３２に蓄積してもよい。なお、化粧メイクとヘアスタイルやヘアカラーとの両方に精通した専門家から視線データを蓄積してもよい。この場合、ヘア専門家視線データとメイク専門家視線データとが、同一人の視線に関する視線データであってよい。
そして、被験者Ｓが鏡像５０における化粧メイクの似合いを判断する場合には、被験者Ｓの視線追跡データ６２とともに、メイク専門家視線データを表示出力してもよい。また、被験者Ｓが鏡像５０におけるヘアメイクやヘアカラーの似合いを判断する場合には、被験者Ｓの視線追跡データ６２とともに、ヘア専門家視線データを表示出力してもよい。
【００９８】
第一および第二実施形態では、光束分離部１２として半透過鏡（ハーフミラー）を使用することを例示したが、本発明はこれに限られない。被験者Ｓが鏡像５０を目視可能であって、かつ被験者Ｓの正面より撮像部１４で頭部画像が撮像可能であるかぎり、光束分離部１２の具体的な機構は特に限定されない。たとえば、半透過鏡に代えて、電気駆動式の光学フィルタを光束分離部１２に設け、光束分離部１２における透過または反射を短時間でスイッチしてもよい。これにより、透過光と反射光とが短時間で切り替えられて、被験者Ｓは鏡像５０を目視することができ、また撮像部１４は被験者Ｓの頭部画像５２を撮像することが可能である。
【００９９】
＜その他の実施形態＞
上述のように、被験者Ｓを被カウンセラーとして美容アドバイスを提供する場合を例に本発明を説明した。しかしながら、以下に例示するように被験者Ｓと被カウンセラーとが異なることで、独自の効果を発揮する美容カウンセリング方法が提供される。
【０１００】
被験者Ｓが美容専門家ＳＰである場合、他人にあたる被カウンセラーに対して、美容専門家ＳＰの視線を教授することができる。ここで、被カウンセラーは美容の素人であってもよく、または被カウンセラー自身が他の美容専門家であってもよい。
【０１０１】
（x）すなわち、美容の素人を被カウンセラーとする場合、美容専門家ＳＰが実演する美容行為の鏡像を自ら目視する場合の視線を被カウンセラーに教授するための、いわゆるハウツー動画が提供される。すなわち、美容行為を実演するハウツー動画に対して、上級者にあたる美容専門家ＳＰの視線情報を付与することにより、被カウンセラーへの伝達力が向上する。
【０１０２】
（xi）一方、美容専門家を被カウンセラーとする場合、他者による客観的な判定を元に、美容専門家の能力やスキルを向上させる教育的方法を提示することができる。すなわち、美容行為をする専門家の鏡像に対する視線を、一ないし複数の他の専門家が確認することで、専門家同士での相互学習に活用することが可能である。なお、美容に関する知見を自ら学習することも、本発明にいう美容カウンセリングの一態様である。
【０１０３】
（xii）また、被験者Ｓが美容専門家ＳＰであることにより、カウンセリングを行なう人のスキルや嗜好による偏りを補うため、スキルの高い美容専門家ＳＰの能力をあらかじめ収集し、活用することができる。例えば、美容師などの美容専門家ＳＰが美容施術している、または美容専門家ＳＰ自身が美容施術されている最中の鏡像に対する美容専門家ＳＰの視線を分析することができる。これにより、美容カウンセリングに重要な視点データを収集し、その収集データを活用して適切な美容カウンセリングを行うことが可能となる。
【０１０４】
これに対し、視線追跡データ６２が取得される被験者Ｓが美容の素人である場合にも、独自の効果を発揮する美容カウンセリング方法が提供される
【０１０５】
被カウンセラーが美容の素人である場合には、同じく素人にあたる他人（被験者Ｓ）が自身の鏡像に対して向ける視線の一般的な移動を知ることで、被カウンセラー自身の視線の移動傾向を客観化することができる。
【０１０６】
（xiii）また、被験者Ｓが美容の素人であることで、被験者Ｓの説明力や表現力に依存せずに、美容に関する被験者Ｓのニーズを把握することができる。すなわち、鏡像に対する被験者Ｓの視線を分析することで、被験者の意識的な、または無意識のニーズを把握することができる。
【０１０７】
上記実施形態は、以下の技術的思想を包含する。
（１）被験者の美容行為を支援する美容支援装置であって、
入射光の一部を透過して他の一部を反射する光束分離手段と、
前記光束分離手段を透過した前記被験者の頭部画像を撮像する撮像手段と、
前記光束分離手段で反射された前記被験者の鏡像を目視する当該被験者の視点の推移を示す視線追跡データを取得する視線取得手段と、
前記頭部画像における頭部位置情報と、前記視線追跡データが示す視点位置情報と、を互いに対応づける視点位置情報調整手段と、
前記頭部画像に対応づけられた前記視線追跡データを出力する出力手段と、
を備える美容支援装置。
（２）前記視点位置情報調整手段により互いに対応づけられた前記頭部画像と前記視線追跡データとを記憶する記憶手段をさらに備える（１）に記載の美容支援装置。
（３）前記光束分離手段が半透過鏡である（１）または（２）に記載の美容支援装置。
（４）前記視点位置情報調整手段が、前記頭部画像と前記視線追跡データとを合成した合成画像を生成し、
前記出力手段が、前記合成画像を出力することを特徴とする（１）から（３）のいずれかに記載の美容支援装置。
（５）前記出力手段が、前記鏡像と前記頭部画像とを互いに位置合わせして、前記視線追跡データを前記鏡像に重畳して出力することを特徴とする（１）から（３）のいずれかに記載の美容支援装置。
（６）前記視点位置情報調整手段が、前記頭部画像を左右反転させて前記頭部位置情報と前記視点位置情報とを対応づける（１）から（５）のいずれかに記載の美容支援装置。
（７）前記被験者の前記頭部画像または他の画像を目視する視線提供者の視点位置の推移を示す他の視線追跡データを保存する蓄積手段をさらに備え、
前記出力手段が、前記他の視線追跡データをさらに出力することを特徴とする（１）から（６）のいずれかに記載の美容支援装置。
（８）前記視点位置情報調整手段が、前記被験者の前記頭部画像における前記頭部位置情報と、前記他の視線追跡データが示す前記視点位置情報と、を互いに対応づけ、
前記出力手段が、前記頭部画像に対してともに対応づけられた前記被験者の前記視線追跡データと前記他の視線追跡データとを、それぞれ前記被験者の前記頭部画像または前記鏡像に重畳して出力する（７）に記載の美容支援装置。
（９）前記他の視線追跡データが、美容専門家の視線に関する専門家視線データである（７）または（８）に記載の美容支援装置。
（１０）前記他の視線追跡データが、前記被験者と異なる性別の前記視線提供者の視線に関する異性視線データ、または著名人の視線に関する著名人視線データである（７）から（９）のいずれかに記載の美容支援装置。
（１１）情報処理装置を用いて被験者の美容行為を支援する美容アドバイス方法であって、
前記被験者の頭部画像を前記被験者に正対して撮像するとともに、前記被験者の鏡像を目視する当該被験者の視点の推移を示す前記視線追跡データを取得する工程と、
前記頭部画像における頭部位置情報と、前記視線追跡データが示す視点位置情報と、を前記情報処理装置によって互いに対応づける工程と、
前記頭部画像に対応づけられた前記視線追跡データを出力する工程と、
を含む美容アドバイス方法。
（１２）前記被験者の前記頭部画像または他の頭部画像を目視する視線提供者の視点位置の推移を示す他の視線追跡データを取得する工程と、
前記被験者の前記頭部画像における前記頭部位置情報と、前記他の視線追跡データが示す前記視点位置情報と、を互いに対応づける工程と、
前記被験者の前記頭部画像に対してともに対応づけられた前記被験者の前記視線追跡データと前記他の視線追跡データとを、前記被験者の前記頭部画像または前記鏡像に重畳して出力する工程と、
をさらに含む（１１）に記載の美容アドバイス方法。
【符号の説明】
【０１０８】
１０      筐体
１２      光束分離部
１４      撮像部
１６      信号線
１８      画像提示部
２０      視線取得部
２２      信号線
２４      光ビーム
３０      記憶部
３１      画像蓄積部
３２      視線データ蓄積部
３３      格納部
４０      出力部
４２      表示駆動部
５０      鏡像
５２      頭部画像
５５      サンプル画像
６０      頭部
６２、６３      視線追跡データ
６４      合成画像
７０      ＣＰＵ
７２      操作部
７４      抽出部
７６      調整部
７８      要求受付部
８０      バスライン
１００      美容支援装置
Ｓ      被験者
ＶＰ      視点
ＬＯＳ      視線
ＳＰ      美容専門家
ＯＰ      異性
ＣＥ      著名人
【図１】
0005555073.tif 000002
【図２】
0005555073.tif 000003
【図３】
0005555073.tif 000004
【図４】
0005555073.tif 000005
【図５】
0005555073.tif 000006
【図６】
0005555073.tif 000007
【図７】
0005555073.tif 000008